(57)【特許請求の範囲】
【請求項１】
内部にランプを有し、かつ上面が解放され、前記ランプの光を全周方向に照射可能な透光部材を有する本体と、
本体の上面における解放部に取り付けられる上カバーと、
前記上カバーと前記本体とを結合する結合手段と、
水平方向および下方向への光を遮光する遮光板と、を備え、
前記遮光板の側端部に、前記透光部材の内面との間に配置される突出片が設けられている照明器具。
【請求項２】
請求項１に記載の照明器具において、
前記遮光板における前記突出片の側端縁は、前記透光部材の内面と整合されている照明器具。
【請求項３】
請求項１または請求項２記載の照明器具において、
前記遮光板は、可撓性を有している照明器具。
【請求項４】
請求項１ないし請求項３のうちのいずれか１項に記載の照明器具において、
前記遮光板の前記突出片における側縁と、前記透光部材との間に弾性材料が設けられている照明器具。
【発明の詳細な説明】
【技術分野】
【０００１】
本発明は、照明器具に関する。
【背景技術】
【０００２】
従来、目的方向以外の方向に光が漏れて光害が発生するのを抑制するため、器具内部の光源の光を特定方向にだけ照射するようにした遮光板を設けた照明器具が知られている（例えば、特許文献１参照）。
【先行技術文献】
【特許文献】
【０００３】
【特許文献１】特開平１１−２１３７１８号公報（請求項１、段落００１３、図１）
【発明の概要】
【発明が解決しようとする課題】
【０００４】
しかしながら、 従来の照明器具は、住居に隣接して街路灯が設置されている場合等には、特に照明器具の光源より低い階においては、住居側へ光漏れが生じるおそれがあった。
【０００５】
本発明の目的は、目的方向への配光を保持し、かつ住居等への光漏れによる光害を効果的に抑制できる照明器具を提供することにある。
【課題を解決するための手段】
【０００６】
本発明は、内部にランプを有し、かつ上面が解放され、前記ランプの光を全周方向に照射可能な透光部材を有する本体と、前記本体の前記上面の解放部に取り付けられる上カバーと、前記上カバーと前記本体とを結合する結合手段と、水平方向および下方向への光を遮光する遮光板と、を備え、前記遮光板の側端部に、前記透光部材の内面との間に配置される突出片が設けられている。
【０００７】
ここで、前記遮光板における前記突出片の側端縁は、前記透光部材の内面と整合されている。
【０００８】
また、前記遮光板は、可撓性を有している。
【０００９】
また、前記遮光板の前記突出片における側縁と、前記透光部材との間に弾性材料が設けられている。
【発明の効果】
【００１０】
本発明によれば、遮光板の側端部に突出片が設けられているので、遮光板の側縁と透光部材との間の隙間を小さくでき、この隙間から光が漏れるのを抑制でき、光害が発生するのを抑制できる。
【図面の簡単な説明】
【００１１】
【図１】本発明に係る実施形態の照明器具を示す分解斜視図
【図２】実施形態の光源、上カバーおよび遮光板を示す縦断面図
【図３】実施形態の遮光板における突出片を示す部分拡大断面図
【図４】実施形態の遮光板の取付金具を示す拡大図
【図５】実施形態の遮光板の弾性変形状態を示す斜視図
【図６】実施形態の遮光板における突出片とグローブとの間に設けられた弾性材料を示す部分拡大断面図
【図７】別の実施形態に係る照明器具を示す斜視図
【発明を実施するための形態】
【００１２】
以下、本発明に係る実施形態の照明器具について、図面を参照して説明する。
図１は、本発明に係る実施形態の照明器具１０を示す。この照明器具１０は、内部にランプ１１を有し、かつ上面が開放され、全周方向にランプ１１の光を照射可能な透光部材であるグローブ１２を有する本体１３を備えている。また、グローブ１２の上面における開放部に設けられる上カバー１４とを備えている。
【００１３】
さらに、ランプ１１における水平方向および下方方向の一部、または全部（本実施形態では一部）への光を遮光する遮光板１６を備えている。遮光板１６の端部には、グローブ１２の内面方向に突出する突出片１７が設けられている。
遮光板１６は、結合手段１５（１５Ａ、１５Ｂ）を介して本体１３に結合される。
【００１４】
次に、上記各構成要素について説明する。
図２に示すように、上カバー１４およびグローブ１２は、それぞれ上に凸または下に凸となる中空の半球状に形成され、それぞれの直径面が結合され、球状に組み付けられる。ランプ１１および遮光板１６は、グローブ１２内に配置されている。グローブ１２の下部には、ポール等に取り付けるための支柱１８が設けられている。
【００１５】
遮光板１６は、グローブ１２の直径部分から下方向に延出する半円状に形成されている。また、遮光板１６の両側部には、外方に突出する突出片１７が設けられている。この突出片１７は、遮光板１６とグローブ１２との隙間に配置されている。
【００１６】
図３に示すように、突出片１７の側縁１９は、その全体がグローブ１２の内面に当接または接近するようにするため、円弧状に形成されている。遮光板１６の上部には、図４に示すように、上記結合手段１５Ａが設けられている。結合手段１５Ａには、遮光板１６の上縁から上方に突出する部分に、横向きの切欠２０が設けられている。
【００１７】
遮光板１６を本体１３に取り付けるには、グローブ１２の内側に設けられた円環状の接続金具１５Ｂに立設されたビス３０（図２参照）に対して遮光板１６に取り付けられた結合手段１５Ａの切欠２０を係合させることにより、簡単に取り付けできる。
【００１８】
遮光板１６と突出片１７とを合計した最大横幅は、グローブ１２の内面の直径より大きくなる。遮光板１６と突出片１７とは、例えばアルミニウム等の可撓性のある材料を用いるのが好ましい。この遮光板１６をグローブ１２内に挿入するには、図５に示すように、遮光板１６における突出片１７，１７の両側端を内側に湾曲させて、グローブ１２内に挿入すればよい。
【００１９】
なお、図６に示すように、遮光板１６の突出片１７の側縁に、グローブ１２の内面に接触する弾性材料２１を設けることにより、突出片１７とグローブ１２の内面との間の隙間をほぼ完全になくし、光害の発生をさらに確実に抑制できる。
【００２０】
また、図７に示すように、照明器具２５に、円形平板状の上カバー２６を設け、さらに遮光板２７の中央部にランプ１１を覆う湾曲部２８を設けることが可能である。これにより、上カバー２６の加工が容易になるとともに、遮光板２７の取り付けが容易になる。
【００２１】
照明器具１０によれば、ランプ１１の光を全周方向に照射させるグローブ１２の内部に水平方向および下方方向への光の一部または全部を遮光する遮光板１６を備え、遮光板１６の端部に、グローブ１２の内面方向に突出している突出片１７が設けられている。従って、グローブ１２の内面と遮光板１６の側縁との隙間を小さくして、グローブ１２の内面と遮光板１６との間から光が漏出し、光害が発生するのを抑制できる。
【００２２】
また、遮光板１６における突出片１７の側端部は、グローブ１２の内面に沿う形状を有しているため、グローブ１２の内面と遮光板１６の側縁との隙間をさらに小さくしまたは無くして、グローブ１２の内面と遮光板１６との間から光が漏出し、光害が発生するのをさらに抑制できる。
【００２３】
また、遮光板１６は、可撓性を有しているため、遮光板１６を変形させてグローブ１２内に容易に挿入して取り付けできる。従って、遮光板１６の外側に突出片１７を設けた状態で、既設の照明器具におけるグローブにも簡単に取り付けできる。
【００２４】
また、遮光板１６の突出片１７の側縁とグローブ１２との間に、弾性材料２１が設けられているため、突出片１７とグローブ１２との隙間をほぼ完全に無くすることができ、光害の発生をより確実に抑制できる。
【符号の説明】
【００２５】
１０  照明器具
１１  ランプ
１２  グローブ（透光部材）
１３  本体
１４  上カバー
１５  結合手段
１６  遮光板
１７  突出片
１８  支柱
１９  側縁
２０  切欠
２１  弾性材料
２５  照明器具
２６  上カバー
２７  遮光板
２８  湾曲部
【図１】
0005669099.tif 000002
【図２】
0005669099.tif 000003
【図３】
0005669099.tif 000004
【図４】
0005669099.tif 000005
【図５】
0005669099.tif 000006
【図６】
0005669099.tif 000007
【図７】
0005669099.tif 000008